(57)【特許請求の範囲】
【請求項１】
被写体を撮像する撮像手段と、
この撮像手段により撮像された被写体画像を表示する表示手段とを備えている撮像装置において、
互いに異なる複数の絞り値を設定する設定手段と、
この設定手段により設定された絞り値毎に、前記表示手段に表示されている前記被写体画像に対してピントの合う合焦領域を検出する検出手段と、
この検出手段により検出された合焦領域を、前記設定手段により設定された各絞り値と対応させて前記表示手段に識別表示させる表示制御手段と、を備え、
前記表示制御手段は、撮像記録を行なう前に、前記設定手段で設定した異なる絞り値毎に、前記検出手段で各絞り値での合焦領域を検出し、各絞り値毎にピントの合う領域を絞り値と対応付けて、一画面内で同時に識別表示させることを特徴とする撮像装置。
【請求項２】
前記設定手段は、前記複数の絞り値をそれぞれ選択する選択手段を備えており、
前記検出手段は、
前記選択手段によって選択された複数の絞り値のそれぞれに対応して、前記被写体画像に対してピントの合う合焦領域を検出することを特徴とする請求項１記載の撮像装置。
【請求項３】
前記表示制御手段は、
前記検出手段により検出された合焦領域を、前記選択手段によって選択された絞り値毎に区別可能な態様で識別表示させることを特徴とする請求項２に記載の撮像装置。
【請求項４】
前記表示制御手段は、
前記検出手段により検出された合焦領域を、前記選択手段によって選択された絞り値毎に異なる色を付して識別表示させることを特徴とする請求項２に記載の撮像装置。
【請求項５】
前記表示制御手段は、
前記複数の絞り値を示す指標と前記検出手段により検出された合焦領域とを対応付けて表示させることを特徴とする請求項１に記載の撮像装置。
【請求項６】
前記表示制御手段は、
前記複数の絞り値の指標と前記検出手段により検出された合焦領域とを同じ色で表示させることを特徴とする請求項１に記載の撮像装置。
【請求項７】
前記設定手段により設定された複数の絞り値の中の一つの絞り値を決定する決定手段と、
この決定手段によって決定された絞り値にて前記撮像手段による撮像を行い、この撮像された被写体画像を記録する記録手段と、
を更に備えたことを特徴とする請求項１に記載の撮像装置。
【請求項８】
前記設定手段により設定された複数の絞り値の中の一つの絞り値が決定される都度、この決定された絞り値にて前記撮像手段による撮像を行い、この撮像された被写体画像を順次記録する記録手段を更に備えたことを特徴とする請求項１に記載の撮像装置。
【請求項９】
被写体を撮像する撮像手段と、この撮像手段により撮像された被写体画像を表示する表示手段とを備えている撮像装置が具備されたコンピュータを、
互いに異なる複数の絞り値を設定し、この設定された絞り値毎に、前記表示手段における前記被写体画像に対してピントの合う合焦領域を検出する検出手段、
この検出手段により検出された合焦領域を、前記設定手段により設定された各絞り値と対応させて前記表示手段に識別表示させる表示制御手段、として機能させ、
前記表示制御手段は、撮像記録を行なう前に、前記設定手段で設定した異なる絞り値毎に、前記検出手段で各絞り値での合焦領域を検出し、各絞り値毎にピントの合う領域を絞り値と対応付けて、一画面内で同時に識別表示させることを特徴とするプログラム。
【発明の詳細な説明】
【技術分野】
【０００１】
本発明は、撮像装置及びそのプログラムに関する。
【背景技術】
【０００２】
従来、カメラ等においては、被写界深度を手動によって変えるというものがある。この被写界深度は、絞り値（Ｆ値）、焦点距離等によって変わってくる。しかしながら、被写界深度を任意に変更するというのは難しく、また、電子ファインダや光学ファインダ上に見える被写体は小さいため、電子ファインダ上等ではピントが合っているように見えても、印画紙上ではボケている場合があり、初心者が被写界深度を任意に変えるというのは極めて困難であった。
このような問題を解消するため、例えば特許文献１の発明には、被写界深度の範囲内と範囲外とに２値化した領域をスルー画像に重ねて表示させることが記載されている。これによれば、被写界深度の範囲を容易に認識することができ、初心者でもピント領域とボケ領域を容易に確認することができる。
【０００３】
【特許文献１】公開特許公報  特開２００６−７４６３４
【発明の開示】
【発明が解決しようとする課題】
【０００４】
しかしながら、上記特許文献によれば、１つの絞り値に対応する被写界深度しか表示されず、絞り値等の変更させる度に、スルー画像を見て被写界深度の範囲の変化を１つずつ確認しなければならず面倒であり、絞り値の変化に応じた被写界深度の変化を容易に確認することができなかった。
【０００５】
そこで本発明は、かかる従来の問題点に鑑みてなされたものであり、表示されている被写体画像の各領域を見ながら、複数の絞り値のそれぞれに応じた合焦領域を容易に確認することができ、被写体画像のどの領域がどの絞り値でピントが合うかを迅速かつ容易に認識することができる撮像装置及びそのプログラムを提供することを目的とする。
【課題を解決するための手段】
【０００６】
上記目的達成のため、請求項１記載の発明による撮像装置は、
被写体を撮像する撮像手段と、この撮像手段により撮像された被写体画像を表示する表示手段とを備えている撮像装置において、
互いに異なる複数の絞り値を設定する設定手段と、
この設定手段により設定された絞り値毎に、前記表示手段に表示されている前記被写体画像に対してピントの合う合焦領域を検出する検出手段と、
この検出手段により検出された合焦領域を、前記設定手段により設定された各絞り値と対応させて前記表示手段に識別表示させる表示制御手段と、を備え、
前記表示制御手段は、撮像記録を行なう前に、前記設定手段で設定した異なる絞り値毎に、前記検出手段で各絞り値での合焦領域を検出し、各絞り値毎にピントの合う領域を絞り値と対応付けて、一画面内で同時に識別表示させることを特徴とする。
【０００７】
また、請求項２記載の発明による撮像装置は、請求項１記載の撮像装置において、前記設定手段は、前記複数の絞り値をそれぞれ選択する選択手段を備えており、
前記検出手段は、
前記選択手段によって選択された複数の絞り値のそれぞれに対応して、前記被写体画像に対してピントの合う合焦領域を検出することを特徴とする。
請求項１記載の撮像装置。
【０００９】
また、請求項３記載の発明による撮像装置は、請求項２記載の撮像装置において、前記表示制御手段は、
前記検出手段により検出された合焦領域を、前記選択手段によって選択された絞り値毎に区別可能な態様で識別表示させることを特徴とする。
【００１０】
また、請求項４記載の発明による撮像装置は、請求項２記載の撮像装置において、前記表示制御手段は、前記検出手段により検出された合焦領域を、前記選択手段によって選択された絞り値毎に異なる色を付して識別表示させることを特徴とする。
【００１１】
また、請求項５記載の発明による撮像装置は、請求項１記載の撮像装置において、前記表示制御手段は、前記複数の絞り値を示す指標と前記検出手段により検出された合焦領域とを対応付けて表示させることを特徴とする。
【００１２】
また、請求項６記載の発明による撮像装置は、請求項１記載の撮像装置において、前記表示制御手段は、前記複数の絞り値の指標と前記検出手段により検出された合焦領域とを同じ色で表示させることを特徴とする。
【００１３】
また、請求項７記載の発明による撮像装置は、請求項１記載の撮像装置において、
前記設定手段により設定された複数の絞り値の中の一つの絞り値を決定する決定手段と、
この決定手段によって決定された絞り値にて前記撮像手段による撮像を行い、この撮像された被写体画像を記録する記録手段と、
を更に備えたことを特徴とする。
【００１４】
また、請求項８記載の発明による撮像装置は、請求項１記載の撮像装置において、前記設定手段により設定された複数の絞り値の中の一つの絞り値が決定される都度、この決定された絞り値にて前記撮像手段による撮像を行い、この撮像された被写体画像を順次記録する記録手段を更に備えたことを特徴とする。
【００１５】
請求項９記載の発明によるプログラムは、
被写体を撮像する撮像手段と、
この撮像手段により撮像された被写体画像を表示する表示手段とを備えている撮像装置が具備されたコンピュータを、
互いに異なる複数の絞り値を設定し、この設定された複数の絞り値毎に、前記表示手段における前記被写体画像に対してピントの合う合焦領域を検出する検出手段、
この検出手段により検出された合焦領域を、前記設定手段により設定された各絞り値と対応させて前記表示手段に識別表示させる表示制御手段、として機能させ、
前記表示制御手段は、撮像記録を行なう前に、前記設定手段で設定した異なる絞り値毎に、前記検出手段で各絞り値での合焦領域を検出し、各絞り値毎にピントの合う領域を絞り値と対応付けて、一画面内で同時に識別表示させることを特徴とする。
【発明の効果】
【００１６】
本発明によれば、表示されている被写体画像の各領域を見ながら、複数の絞り値のそれぞれに応じた合焦領域を容易に確認することができ、被写体画像のどの領域がどの絞り値でピントが合うかを迅速かつ容易に認識することができる。
【発明を実施するための最良の形態】
【００１７】
以下、本実施の形態について、本発明の撮像装置をデジタルカメラに適用した一例として図面を参照して詳細に説明する。
［実施の形態］
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り４、ＣＣＤ５、垂直ドライバ６、ＴＧ（timing generator）７、ユニット回路８、ＤＭＡコントローラ（以下、ＤＭＡという）９、ＣＰＵ１０、キー入力部１１、メモリ１２、ＤＲＡＭ１３、ＤＭＡ１４、ＡＦ評価値算出部１５、ＤＭＡ１６、画像生成部１７、ＤＭＡ１８、ＤＭＡ１９、表示部２０、ＤＭＡ２１、圧縮伸張部２２、ＤＭＡ２３、フラッシュメモリ２４、バス２５を備えている。
【００１８】
撮影レンズ２は、図示しない複数のレンズ群から構成されるフォーカスレンズ、ズームレンズを含む。そして、撮影レンズ２には、レンズ駆動ブロック３が接続されている。レンズ駆動ブロック３は、フォーカスレンズ、ズームレンズをそれぞれ光軸方向に駆動させるフォーカスモータ、ズームモータ（図示略）と、ＣＰＵ１０から送られてくる制御信号にしたがって、フォーカスレンズ、ズームレンズを光軸方向に駆動させるフォーカスモータドライバ、ズームモータドライバ（図示略）とから構成されている。
【００１９】
絞り４は、図示しない駆動回路を含み、駆動回路はＣＰＵ１０の変更部１０１から送られてくる制御信号にしたがって絞り４を動作させる。
絞りとは、ＣＣＤ５に入射される光の量を制御する機構のことをいう。この絞りの度合を示した絞り値（Ｆ値）は値が小さくなるほど絞りの度合が少なくなり、値が大きくなるほど絞りの度合が大きくなる。
露出量は、この絞り値とシャッタ速度によって定められる。
【００２０】
ＣＣＤ５は、垂直ドライバ６によって走査駆動され、一定周期毎に被写体像のＲＧＢ値の各色の光の強さを光電変換して撮像信号としてユニット回路８に出力する。この垂直ドライバ６、ユニット回路８の動作タイミングはＴＧ７を介してＣＰＵ１０によって制御される。なお、ＣＣＤ５はベイヤー配列の色フィルターを有しており、また、電子シャッタとしての機能も有する。この電子シャッタのシャッタ速度は、ドライバ６、ＴＧ７を介してＣＰＵ１０によって制御される。
【００２１】
ユニット回路８には、ＴＧ７が接続されており、ＣＣＤ５から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログ信号をデジタル信号に変換するＡ／Ｄ変換器から構成されており、ＣＣＤ５によって得られた撮像信号はユニット回路８を経た後、ＤＭＡ９によってベイヤーデータの状態でバッファメモリ（ＤＲＡＭ１３）に記憶される。
【００２２】
ＣＰＵ１０は、撮像処理、記録処理などを行う機能を有すると共に、デジタルカメラ１の各部を制御するワンチップマイコンである。
特に、ＣＰＵ１０は、絞りの絞り値（絞り度合）を変更する変更部１０１、ＣＣＤ５により撮像された画像データの合焦領域を検出する検出部１０２、ＣＣＤ５により撮像された画像データや該検出された合焦領域とを表示部２０に表示させる表示制御部１０３を有する。
【００２３】
キー入力部１１は、半押し操作全押し操作可能なシャッタボタン、モード切替キー、十字キー、ＳＥＴキー、絞り値指定キー等の複数の操作キーを含み、ユーザのキー操作に応じた操作信号をＣＰＵ１０に出力する。
メモリ１２には、ＣＰＵ１０がデジタルカメラ1の各部を制御するのに必要な制御プログラム、及び必要なデータが記録されており、ＣＰＵ１０は、該プログラムに従い動作する。
【００２４】
ＤＲＡＭ１３は、ＣＣＤ５によって撮像された画像データを一時記憶するバッファメモリとして使用されるとともに、ＣＰＵ１０のワーキングメモリとしても使用される。
【００２５】
ＤＭＡ１４は、バッファメモリに記憶されているベイヤーデータ若しくは輝度色差信号の画像データを読み出して、ＡＦ評価値算出部１５に出力するものである。
ＡＦ評価値算出部１５は、送られてきた画像データの画像データに基づいて高周波成分を抽出し、該抽出した高周波成分を積算してＡＦ評価値を算出する。この算出されたＡＦ評価値は、ＣＰＵ１０に送られる。このＡＦ評価値が高い領域程、ピントが合っている領域となる。
【００２６】
ＤＭＡ１６は、バッファメモリに記憶されたベイヤーデータの画像データを読み出して画像生成部１７に出力するものである。
画像生成部１７は、ＤＭＡ１６から送られてきた画像データに対して、画素補間処理、γ補正処理、ホワイトバランス処理などの処理を施すとともに、輝度色差信号（ＹＵＶデータ）の生成も行なう。つまり、画像処理を施す部分である。
ＤＭＡ１８は、画像生成部１７で画像処理が施された輝度色差信号の画像データ（ＹＵＶデータ）をバッファメモリに記憶させるものである。
【００２７】
ＤＭＡ１９は、バッファメモリに記憶されているＹＵＶデータの画像データを表示部２０に出力するものである。
表示部２０は、カラーＬＣＤとその駆動回路を含み、ＣＰＵ１０の表示制御部１０３の制御によってＤＭＡ１９から出力された画像データの画像を表示させる。
【００２８】
ＤＭＡ２１は、バッファメモリに記憶されているＹＵＶデータの画像データや圧縮された画像データを圧縮伸張部２２に出力したり、圧縮伸張部２２により圧縮された画像データや、伸張された画像データをバッファメモリに記憶させたりするものである。
圧縮伸張部２２は、画像データの圧縮・伸張（例えば、ＪＰＥＧやＭＰＥＧ形式の圧縮・伸張）を行なう部分である。
ＤＭＡ２３は、バッファッメモリに記憶されている圧縮画像データを読み出してフラッシュメモリ２４に記録させたり、フラッシュメモリ２４に記録された圧縮画像データをバッファメモリに記憶させるものである。
【００２９】
Ｂ.デジタルカメラ１の動作
第１の実施の形態におけるデジタルカメラ１の動作を図２のフローチャートにしたがって説明する。
【００３０】
ユーザのキー入力部１１のモード切替キーの操作により静止画撮影モードに設定されると、ステップＳ１で、ＣＰＵ１０は、所定のキャプチャフレームレートでＣＣＤ５により被写体を撮像する処理（動画撮像処理）を開始させ、ＣＰＵ１０の表示制御部１０３は、画像生成部１７によって順次生成されてバッファメモリに記憶された輝度色差信号の画像データを表示部２０に表示させていく、といういわゆるスルー画像表示を開始する（ステップＳ１）。
【００３１】
次いで、ＣＰＵ１０は、ユーザによってシャッタボタンが半押しされたか否かを判断する（ステップＳ２）。この判断は、シャッタボタンの半押し操作に対応する操作信号がキー入力部１１から送られてきたか否かにより判断する。
【００３２】
ステップＳ２で、シャッタボタンが半押しされていないと判断すると、半押しされるまでステップＳ２に留まり、シャッタボタンが半押しされたと判断すると、ＣＰＵ１０の表示制御部１０３は、表示部２０に複数の領域枠をスルー画像に重ねて表示させる（ステップＳ３）。この領域枠は撮像された若しくは表示された画像データのある領域を示す枠であり、また、このある領域は予め定められた領域である。
【００３３】
図３（Ａ）は、表示される複数の領域枠の様子の一例を示すものであり、図３（Ｂ）は、スルー画像３２に重ねて表示された複数の領域枠３１の様子の一例を示すものである。
このように、図３（Ａ）に示すような複数の領域枠３１が、スルー画像３２に重ねて表示されることになる。
なお、ここでは、縦８×横１０の計８０個の領域枠３１を表示させるようにしたが、これの数に限られないことは言うまでもなく、又領域枠３１の大きさもこれに限られない。領域枠３１の大きさは、ｎ画素×ｍ画素のブロック単位であってもよいし、画素単位であってもよい。
【００３４】
次いで、ＣＰＵ１０の変更部１０１は、設定可能な絞り値のうち最少の絞り値を設定する（ステップＳ４）。この絞り値の設定とともに、該絞りの絞り度合も変更されることになる。ここでは、最小の絞り値は、「Ｆ２．８」とする。
次いで、ＣＰＵ１０は、一番手前の被写体に合うようにコントラスト検出方式によるＡＦ処理を行う（ステップＳ５）。
【００３５】
このＡＦ処理を具体的に説明すると、まず、ＣＰＵ１０は、レンズ駆動ブロック３に制御信号を送ることにより、フォーカスレンズをレンズ駆動可能な範囲内の一方のレンズ端（最も撮影者から一番近い被写体に合うレンズ位置）から他方のレンズ端（最も撮影者から一番遠い被写体にピントが合うレンズ位置）まで所定の移動量単位でサンプリングポイントのレンズ位置に順次移動させていく。そして、各サンプリングポイントのレンズ位置でＣＣＤ５から画像データを読み出し、該読みだした画像データをＡＦ評価値算出部１５に出力する。そして、ＡＦ評価値算出部１５は、各サンプリングポイントで得られた画像データの各領域枠３１のＡＦ評価値を算出していき、該算出した各領域枠３１のＡＦ評価値をＣＰＵ１０に出力する。そして、ＣＰＵ１０の検出部１０２は、送られてきた各領域枠３１のＡＦ評価値のうち、最初にＡＦ評価値のピークを検出すると、該ピークとなるレンズ位置にフォーカスレンズを移動させる。つまり、表示された各領域枠３１の中で一番近い被写体がいる領域枠３４にピントを合わせることになる。
【００３６】
次いで、ＣＰＵ１０の表示制御部１０３は、現在選択されている絞り値毎にピントの合う領域を絞り値と対応付けて識別表示させる処理を行う（ステップＳ６）。つまり、現在選択されている各絞り値毎に、ピントの合う領域の領域枠の識別表示を行う。このステップＳ６の動作は後で後述する。
このとき、ＣＰＵ１０は、表示された絞り値のうち、最も小さい絞り値（ここでは「Ｆ２．８」）にカーソルを合わせておく。
ここでは、まだ、選択されている絞り値は、ステップＳ４で選択された最少の絞り値「Ｆ２．８」のみなので、該絞り値「Ｆ２．８」でピントが合う領域枠しか識別表示されないことになる。
【００３７】
図４（Ａ）は、絞り値「Ｆ２．８」のみが選択されているときに識別表示される合焦領域の様子の一例を示すものである。
図４（Ａ）を見るとわかるように、複数表示される領域枠３１のうち、一番手間にいる被写体にある領域枠３４のみが識別表示（斜線で表示）され、その領域枠が合焦領域であることがわかる。
また、右上を見るとわかるように、現在識別表示されている合焦領域（領域枠３４）と、絞り値を示す指標（アイコン）３３が対応付けて表示されているのがわかる。つまり、領域枠３４について、どの絞り値でピントが合ったのかがわかるように表示されている。ここでは、絞り値「Ｆ２．８」における合焦領域の領域枠３４と同じ態様（斜線表示）で、右上に「Ｆ２．８」と描画された指標３３が表示されている。
【００３８】
次いで、ＣＰＵ１０は、ユーザによって絞り値の決定操作が行われたか否かを判断する（ステップＳ７）。この判断は、ＳＥＴキーの操作に対応する操作信号がキー入力部１１から送られてきたか否かにより判断する。
【００３９】
ステップＳ７で、絞り値の決定操作が行われていないと判断すると、ＣＰＵ１０は、ユーザによって絞り値の変更及び指定操作が行われたか否かを判断する（ステップＳ８）。
このとき、ユーザが絞り値指定キーを操作すると、設定可能な絞り値が一覧表示され、該一覧表示された中から十字キーの操作を行うことにより任意の絞り値にカーソルを合わせることができ、該カーソルが合わさっている絞り値でＯＫと思う場合にＳＥＴキーを操作することにより、該カーソルが合わさっている絞り値を指定することができ、この一連操作に対応する操作信号が送られてくると、ＣＰＵ１０は、絞り値の指定操作が行われたと判断する。
【００４０】
ステップＳ８で絞り値の変更及び指定操作があると判断されると、ＣＰＵ１０は、該指定された絞り値を追加選択してステップＳ６に戻り、ステップＳ８で絞り値の指定操作がないと判断するとそのままステップＳ６に戻る。
【００４１】
図４は、新たに絞り値「Ｆ４．０」が追加選択されたときに、ステップＳ６の動作により識別表示される合焦領域の様子の一例を示す図である。
図４（Ｂ）を見ると、絞り値「Ｆ２．８」でピントのあう領域枠３４が識別表示されているとともにと、絞り値「Ｆ４．０」でピントのあう領域枠３６も識別表示されているのがわかる。また、領域枠３４と領域枠３６とが区別可能な状態で識別表示（斜線表示と縦線表示）されているのがわかる。この区別可能な態様で可能で表示しないと、たとえば、すべて斜線表示してしまうと、どの絞り値でどの領域枠３１にピントが合ったのかわからないからである。
【００４２】
また、識別表示された合焦領域がどの絞り値でピントが合ったのか分かるように、絞り値を示す指標と該絞り値でピントが合った合焦領域とが対応付けて表示されている。ここでは、領域枠３４と同じ態様（斜線表示）で、画面右上に「Ｆ２．８」と描画された指標３３を表示すると同時に、これと並べて領域枠３６と同じ態様（縦線表示）で、「Ｆ４．０」と描画された指標３５が表示されている。
【００４３】
尚、このとき、ユーザが、十字キーの操作を行うことにより現在画面右上に表示されている指標の何れかにカーソルを合わせることができ、該カーソルが合っている指標でＯＫと思う場合にはＳＥＴキーを操作することにより絞り値の決定を行うことができ、ＳＥＴキーの操作が行われるとステップＳ７で絞り値の決定操作があると判断する。なお、識別表示されている合焦領域を指定することにより、絞り値を決定するようにしてもよい。この場合は、該指定された合焦領域に対応する絞り値に決定する。要は、ユーザが絞り値を決定することできる態様であればよい。
【００４４】
このように、絞り値を追加選択していくことにより、該選択された絞り値でどの領域枠３１が合焦点領域になるのかが一目瞭然にわかり、選択された各絞り値の被写界深度も一目瞭然にわかる。
【００４５】
図５（Ａ）は、ユーザによって追加選択されていったときに識別表示される合焦領域の様子の一例を示すものであり、図５（Ｂ）は、図５（Ａ）に示される識別表示されている領域枠３１を抽出したもの（撮像されたスルー画像３２を除外したもの）を示す図である。
図５を見るとわかるように、指定された絞り値は「Ｆ２．８」（指標３３）、「Ｆ４．０」（指標３５）、「Ｆ８．０」（指標３７）、「Ｆ１１」（指標３９）、「Ｆ１６」（指標４１）であり、各絞り値でピントが合う領域枠３４、３６、３８、４０、及び４２が区別可能な態様で識別表示されている。各領域枠がどの絞り値でピントが合ったのか分かるように、各絞り値の指標と各領域枠とが対応付けて表示されている。
【００４６】
なお、ここで、ある絞り値でピントが合う領域４０として識別表示される領域枠３１として識別表示される領域枠は、該ある絞り値より小さい絞り値でピントが合う領域以外の領域枠でピントが合うことを示している。たとえば、図５を用いて説明すると、絞り値「Ｆ４．０」でピントが合う領域枠３６は、絞り値「Ｆ２．８」でピントが合う領域枠３４以外でピントが合うことを示している。
【００４７】
また、絞り値「Ｆ１１」でピントが合う領域枠４０は、絞り値「Ｆ２．８」でピントが合う領域枠３４、「Ｆ４．０」でピントが合う領域枠３６、及び、「Ｆ８．０」でピントが合う領域枠３８以外でピントが合うことを示している。つまり、絞り値が大きくなれば被写界深度も深くなるので、ある絞り値でピントが合う領域枠は、該ある絞り値より大きい絞り値でもピントが合う可能性が高いので、取り分けそのような領域枠に対して２重に識別表示させる必要はないからである。
【００４８】
図２のフローチャートに戻り、図２のステップＳ７で、絞り値の決定操作が行われたと判断すると、ステップＳ１０に進み、ＣＰＵ１０は、該決定された絞り値を静止画撮影の撮影条件として設定する（ステップＳ１０）。
次いで、ＣＰＵ１０は、ユーザによってシャッタボタンが全押しされたか否かを判断する（ステップＳ１１）。この判断は、シャッタボタンの全押し操作に対応する操作信号がキー入力部１１から送られてきたか否かにより判断する。
【００４９】
ステップＳ１１で、シャッタボタンが全押しされていないと判断すると全押しされるまでステップＳ１１に留まり、シャッタボタンが全押しされたと判断すると、ＣＰＵ１０は、動画撮像処理を終了し、ステップＳ１０で設定された絞り値で静止画撮影を行い、該静止画撮影処理により得られ、圧縮部２２で圧縮された画像データをＤＭＡ２３を介してフラッシュメモリ２４に記録する（ステップＳ１２）。
【００５０】
Ｃ. 識別表示の動作について
次に、図２のステップＳ６の現在選択されている絞り値毎にピントの合う領域を絞り値と対応付けて識別表示させる処理の動作を図６のサブフローチャートにしたがって説明する。
【００５１】
図２のステップＳ６に進むと、図６のステップＳ２１に進み、ＣＰＵ１０の変更部２１は、現在選択されている複数の絞り値のうち、最も小さい絞り値に変更する。たとえば、現在選択されている絞り値が「Ｆ２．８」、「Ｆ４．０」、「Ｆ８．０」、「Ｆ１１」、「Ｆ１６」である場合は、最小の「Ｆ２．８」を選択することになる。この絞り値の変更とともに、該絞りの絞り度合も変更されることになる。
【００５２】
次いで、ＣＰＵ１０は、キャプチャフレーム周期（撮像タイミング）が到来するまで待ち処理を行う（ステップＳ２２）。このキャプチャフレーム周期は、動画撮像のキャプチャフレームレートに基づいて定まる。たとえば、キャプチャフレームレートが３０ｆｐｓの場合は、１／３０秒毎にキャプチャフレーム周期が到来することになる。
【００５３】
そして、キャプチャフレーム周期が到来すると、ＣＰＵ１０は、撮像されたフレーム画像データを、ＡＦ評価値算出部１５に出力し、ＡＦ評価値算出部１５に、各領域枠のＡＦ評価値を算出させる（ステップＳ２３）。この算出された各領域枠のＡＦ評価値はＣＰＵ１０に送られる。
【００５４】
次いで、ＣＰＵ１０の検出部１０２は、ＡＦ評価値算出部１５から送られてきた各領域枠のＡＦ評価値に基づいて、ＡＦ評価値が所定値以上となるＡＦ領域枠を検出し、表示制御部１０３は、該検出されたＡＦ評価値が所定値以上となる領域枠をステップＳ２１で直近に変更された絞り値（現在の絞り値）と対応付けて画像表示部１５に識別表示させる動作を開始する（ステップＳ２４）。つまり、ＡＦ評価値が所定値以上となる領域枠を合焦領域として検出し、該合焦領域と判断された領域枠が識別表示されることになる。このときは、各絞り値毎に区別可能な態様で識別表示させる。
【００５５】
ここで、検出部１０３は、すべての領域枠３１のうち、ステップ２１で直近に変更された絞り値（現在の絞り値）より小さい絞り値で合焦領域と検出された領域枠以外で合焦領域となる領域枠の検出を行うものとする。つまり、現在の絞り値より小さい絞り値で合焦領域と検出された領域枠に対しては、再度合焦領域であるかの検出を行わないことになる。現在の絞り値より小さい絞り値でピント合う領域枠は、それよりも高い絞り値でピントが合う可能性が高いからである。たとえば、現在選択されている絞り値が「Ｆ２．８」、「Ｆ４．０」、「Ｆ８．０」、「Ｆ１１」、及び、「Ｆ１６」の場合であって、現在の絞り値が「Ｆ８．０」の場合は、絞り値「Ｆ２．８」で合焦領域と検出された領域枠、及び、絞り値「Ｆ４．０」で合焦領域と検出された領域枠以外で、合焦領域となる領域枠を検出することになる。これにより、検出の処理負担を軽減させることができる。
【００５６】
次いで、ＣＰＵ１０は、該選択されている絞り値のうち、現在の絞り値の次に大きい絞り値があるか否かを判断する（ステップＳ２５）。たとえば、たとえば、現在選択されている絞り値が「Ｆ２．８」、「Ｆ４．０」、「Ｆ８．０」、「Ｆ１１」、「Ｆ１６」の場合であって、現在の絞り値が「Ｆ８．０」の場合は、次に大きい絞り値があると判断することになる。
ステップＳ２５で、次に大きい絞り値があると判断すると、ＣＰＵ１０の変更部１０１は、該次に大きい絞り値に変更して（ステップＳ２６）、ステップＳ２２に戻る。この絞り値の変更とともに、該絞りの絞り度合も変更されることになる。
一方、ステップＳ２５で、次に大きい絞り値が無いと判断すると、図２のステップＳ７に進む。
【００５７】
以上のように、実施の形態においては、絞り値を変えていくことにより、各絞り値における画像データの各領域枠３１の中で合焦領域となる領域枠を検出し、該検出した各絞り値における合焦領域となる領域枠と該絞り値とを対応付けて識別表示させるで、複数の絞り値に応じた合焦領域を容易に確認することができ、複数の絞り値に応じた被写界深度の範囲を容易に確認することができる。
また、撮像された画像データを表示させるとともに、それぞれの絞り値に応じた合焦領域を識別表示させるので、どの被写体がどの絞り値でピントが合うのかを容易に認識することができる。
【００５８】
また、絞り値毎に合焦領域となる領域枠を区別可能な態様で識別表示させるので、どの絞り値でどの領域枠にピントがあったのか、どの絞り値でどのくらいの被写界深度になったのかをユーザは認識することができる。
また、絞り値と、該絞り値における合焦領域となる領域枠とを対応付けて表示させるので、どの絞り値でどの領域枠でピントが合うのか、どの絞り値でどのくらいの被写界深度になるのか容易に認識することができる。
また、ユーザによって選択された絞り値に変えていくので、任意の絞り値に変更することができるとともに、被写界深度を知りたい絞り値の被写界深度を知ることができる。
また、決定された絞り値で静止画撮影を行なうので、絞り値毎に識別表示された合焦領域を見ることにより、最も適切な絞り値を決定することにより、所望の被写界深度となる静止画像データを得ることができる。
【００５９】
［変形例］
Ｄ．上記実施の形態は、以下のような変形例も可能である。
【００６０】
（０１）また、上記実施の形態においては、図２のステップＳ４で設定可能な最小の絞り値を選択して、該絞りの絞り値を変更するようにしたが、ユーザによって任意に指定された絞り値、若しくは自動選択した絞り値を選択し、該選択した絞り値に変更するようにしてもよい。この自動選択は、適正露出量となるようにプログラム線図等によって自動的に選択された絞り値等のことをいう。
【００６１】
（０２）また、上記実施の形態においては、図２のステップＳ５で一番手前にある被写体に対してＡＦ処理を行うようにしたが、ユーザによって指定された領域枠、若しくは、所定の領域枠（例えば、画角の中央にある領域枠３１）にピントが合うようにＡＦ処理を行うようにしてもよい。
また、ＡＦ動作を行なわないようにしてもよい。この場合は、図２のステップＳ４の動作を経るとそのままステップＳ６に進む。また、この場合は、ステップＳ２に動作も無くしてもよい。つまり、ステップＳ１で、スルー画像表示を開始すると、ステップＳ３に進むようにしてもよい。
【００６２】
（０３）また、上記実施の形態においては、図２のステップＳ６の動作、図６のステップＳ２４の識別表示は、領域枠の模様（斜線、縦線等の模様）を絞り値に応じて変えるようにしたが、絞り値に応じて合焦領域となる領域枠に異なる色を付して識別表示するようにしてもよい。要は、絞り値毎に合焦領域となる領域枠３１を区別可能な態様で識別表示させる方法であればよい。
また、絞り値に応じて領域枠の色を変えることによって識別表示させる場合は、絞り値の指標と該絞り値でピントが合った合焦領域とを対応付けて表示させるため、表示させる絞り値の色も変えるようにしてもよい。つまり、各絞り値に応じて、絞り値と該絞り値で合焦領域となる領域枠３１とを同じ色で表示させるようにする。例えば、第１の絞り値で合焦領域となった領域枠に赤色を付して表示させる場合は、該第１の絞り値の指標を赤色で描画表示させる。
【００６３】
（０４）また、上記実施の形態においては、絞り値と該絞り値で合焦領域となる領域枠を対応付けて表示させるようにしたが、つまり、ある絞り値で合焦領域となった領域枠を識別表示させるとともに、該ある絞り値も表示させるようにしたが、絞り値を表示させないようにしてもよい。つまり、領域枠の識別表示のみを行うようにしてもよい。その識別表示の態様によってどの絞り値のであるか分かる場合もあるからである。この場合は、この各絞り値毎に識別表示の態様（斜線表示、赤色表示等）を予め決めておくようにしてもよい。
【００６４】
（０５）また、上記実施の形態においては、図６のステップＳ２４では、現在の絞り値より小さい絞り値で合焦領域と検出された領域枠以外の領域枠の中で合焦領域となる領域枠の検出を行なうようにしたが、現在の絞り値で合焦領域となる領域枠を、全ての領域枠の中から検出するようにしてもよい。
この場合に、ある領域枠が２つ以上の絞り値で合焦領域となる場合は、そのことが分かるように該領域枠を識別表示させる。例えば、絞り値に応じて色を変えることにより識別表示させる場合は、合焦領域となる領域枠を絞り値に応じた色で交互に表示さえることにより識別表示させるようにしてもよい。具体的に説明すると、第１の絞り値で合焦領域となる領域枠を赤色で、第２の絞り値で合焦領域となる領域枠を青色で表示させる場合に、ある領域枠が第１の絞り値及び第２の絞り値で合焦領域となる場合は、該ある領域枠を赤色と青色の２色で表示させる。
【００６５】
（０６）また、上記実施の形態においては、図２のステップＳ１０で決定された絞り値に設定した後、シャッタボタンが全押しされるまで静止画撮影記録処理を行なわないようにしたが、ステップＳ１０で決定した絞り値に設定した後、直ちに静止画撮影記録処理を行うようにしてもよい。
つまり、ステップＳ１０の動作を経た後そのままステップＳ１２に進むようにしてもよい。
【００６６】
（０７）また、上記実施の形態においては、ステップＳ１２で設定された絞り値での静止画撮影記録処理を行うようにしたが、選択した全ての絞り値（ステップＳ４、及び、ステップＳ９で選択した全ての絞り値）での静止画撮影処理を連続して行うようにしてもよい。例えば、現在選択している絞り値が「Ｆ２．８」、「Ｆ４．０」、「Ｆ８．０」、「Ｆ１１」、「Ｆ１６」の場合は、「Ｆ２．８」で静止画撮影処理を行い、そして、「Ｆ４．０」での静止画撮影、「Ｆ８．０」での静止画撮影というように連続して行なうようにしてもよい。
この場合の動作は、図２のステップＳ７でシャッタボタンが全押しされたか否かを判断し、全押しされていない場合はステップＳ８に進み、全押しされた場合は、選択している全ての絞り値での静止画撮影処理を連続して行う。
このとき、連続して行なった静止画撮影処理により得られた画像データを全て記録するようにしてもよいし、該連続して行った静止画撮影処理により得られた画像データをプレビュー表示させて、ユーザによって選択された画像データのみを記録するようにしてもよい。
これにより、各絞り値で静止画撮影を連続して行なうので、所望の被写界深度となる画像データを得ることができる。
【００６７】
（０８）また、上記実施の形態においては、シャッタボタンが半押しされると、領域枠を表示させるようにしたが（図２のステップＳ３）、表示させないようにしてもよい。この場合は、ピントの合っている領域枠として検出された場合に始めて領域枠を表示させるとともに該領域枠を識別表示させる（図２のステップＳ６、図６のステップＳ２４）。
【００６８】
（０９）また、上記実施の形態において、複数の領域枠は、画像データの中で予め定められた領域であるが、画像データを複数に分けた領域であってもよい。この領域は、例えば、８画素×８画素等のブロック単位に分けるようにし、該各ブロックを領域枠としてもよいし、１画素ずつ分けるようにし、各画素を領域枠とするようにしてもよい。
【００６９】
（１０）また、上記実施の形態において、個々の領域枠を識別表示させるのではなく、各絞り値における合焦領域となる画像領域を区別可能な態様で識別表示させるようにしてもよい。
図７は、そのときに識別表示される合焦領域の様子の一例を示すものである。
図７を見ると分かるように、各絞り値を描画した指標３３、３５、３７、３９、及び、４１とこの各絞り値における合焦領域となる画像領域３４０、３６０、３８０、４００、及び、４２０とが区別可能な態様で表示されているのがわかる。
【００７０】
（１１）また、上記実施の形態においては、フレーム毎に絞り値を変更していき、該変更後の絞り値の合焦領域となる領域枠を検出していくようにしたが（図６参照）、２フレーム毎、５フレーム毎等に絞り値を変更していくようにしてもよい。要は、所定の周期毎に絞り値を変更していくものであればよい。
【００７１】
（１２）また、上記実施の形態において、ステップＳ９ではユーザによって指定された絞り値を追加選択していくようにしたが、自動的に絞り値を追加選択していくようにしてもよい。これにより自動的に選択された各絞り値の合焦領域を容易に確認することができる。この絞り値の自動選択は、順々に高い絞り値を選択するようにしてもよいし、ランダムに選択するようにしてもよいし、所定間隔の値で絞り値を選択していくようにしてもよい。
【００７２】
（１３）また、上記実施の形態において、主にコンパクトデジタルカメラを例にして説明したがレンズ交換式のデジタルカメラでも適用可能なことはいうまでもない。
【００７３】
（１４）また、上記変形例（０１）乃至（１３）を任意に組み合わせた態様であってもよい。
【００７４】
（１５）また、本発明の上記実施形態及び各変形例は、何れも最良の実施形態としての単なる例に過ぎず、本発明の原理や構造等をより良く理解することができるようにするために述べられたものであって、添付の特許請求の範囲を限定する趣旨のものでない。
したがって、本発明の上記実施形態に対してなされ得る多種多様な変形ないし修正はすべて本発明の範囲内に含まれるものであり、添付の特許請求の範囲によって保護されるものと解さなければならない。
【００７５】
最後に、上記各実施の形態においては、本発明の撮像装置をデジタルカメラ１に適用した場合について説明したが、上記の実施の形態に限定されるものではなく、要は、絞りと撮像素子を備えた機器であれば適用可能である。
【図面の簡単な説明】
【００７６】
【図１】本発明の実施の形態のデジタルカメラのブロック図である。
【図２】実施の形態のデジタルカメラの動作を示すフローチャートである。
【図３】表示される複数の領域枠の様子の一例、スルー画像に重ねて表示された複数の領域の様子の一例を示す図である。
【図４】識別表示される合焦領域の様子の一例を示す図である。
【図５】識別表示される合焦領域の様子の一例を示す図である。
【図６】図２のステップＳ６の動作を示すサブフローチャートである。
【図７】変形例における識別表示される合焦領域の様子の一例を示す図である。
【符号の説明】
【００７７】
１      デジタルカメラ
２      撮影レンズ
３      レンズ駆動ブロック
４      絞り
５      ＣＣＤ
６      垂直ドライバ
７      ＴＧ
８      ユニット回路
９      ＤＭＡ
１０    ＣＰＵ
１１    キー入力部
１２    メモリ
１３    ＤＲＡＭ
１４    ＤＭＡ
１５    ＡＦ評価値算出部
１６    ＤＭＡ
１７    画像生成部
１８    ＤＭＡ
１９    ＤＭＡ
２０    表示部
２１    ＤＭＡ
２２    圧縮伸張部
２３    ＤＭＡ
２４    フラッシュメモリ
２５    バス
【図１】
0005092673.tif 000002
【図２】
0005092673.tif 000003
【図３】
0005092673.tif 000004
【図４】
0005092673.tif 000005
【図５】
0005092673.tif 000006
【図６】
0005092673.tif 000007
【図７】
0005092673.tif 000008